(57)【要約】 【課題】簡単に画面表示の切り替えが可能な表示装置、表示制御方法、及び表示制御プログラムを提供する。【解決手段】表示装置は、複数の表示部と、各表示部の位置関係が、所定時間内に、第１の位置関係から第２の位置関係に変化し、第２の位置関係から第１の位置関係に変化した場合、各表示部による表示形式を他の表示形式に切り替える表示制御部と、を備える。【選択図】図１
2013246724.tif 000002
【特許請求の範囲】
【請求項１】
複数の表示部と、
各表示部の位置関係が、所定時間内に、第１の位置関係から第２の位置関係に変化し、前記第２の位置関係から前記第１の位置関係に変化した場合、各表示部による表示形式を他の表示形式に切り替える表示制御部と、
を備える表示装置。
【請求項２】
請求項１に記載の表示装置であって、
前記表示制御部は、各表示部の位置関係が、所定時間内に、開状態から非開状態に変化し、前記非開状態から前記開状態に変化した場合、各表示部による表示形式を他の表示形式に切り替える表示装置。
【請求項３】
請求項１または２に記載の表示装置であって、
前記表示制御部は、前記位置関係の変化に応じて、各表示部による表示形式を、全画面表示又は分割画面表示に切り替える表示装置。
【請求項４】
請求項３に記載の表示装置であって、
前記表示制御部は、前記表示形式が前記全画面表示である場合には、前記位置関係の変化に応じて、前記表示形式を前記分割画面表示に切り替え、前記表示形式が前記分割画面表示である場合には、前記位置関係の変化に応じて、前記表示形式を前記全画面表示に切り替える表示装置。
【請求項５】
請求項３または４に記載の表示装置であって、
前記表示制御部は、前記全画面表示では、各表示部を連結した１つの表示部として、１つのアプリケーションの画面を表示させ、前記分割画面表示では、各表示部に各アプリケーションの画面を表示させる表示装置。
【請求項６】
請求項３ないし５のいずれか１項に記載の表示装置であって、
前記表示制御部は、前記表示形式を前記全画面表示に切り替える場合、各表示部により表示された各アプリケーションの画面のうち、所定の表示部に表示されたアプリケーションの画面を全画面表示させる表示装置。
【請求項７】
請求項３ないし５のいずれか１項に記載の表示装置であって、更に、
前記表示部の位置を検出する位置検出部を備え、
前記表示制御部は、前記表示形式を前記全画面表示に切り替える場合、前記位置検出部により検出された位置に基づいて、所定の位置にある表示部に表示されたアプリケーションの画面を全画面表示させる表示装置。
【請求項８】
表示装置における表示制御方法であって、
複数の表示部の位置関係が、所定時間内に、第１の位置関係から第２の位置関係に変化し、前記第２の位置関係から前記第１の位置関係に変化した場合、各表示部による表示形式を他の表示形式に切り替えるステップを有する表示制御方法。
【請求項９】
請求項８に記載の表示制御方法の各ステップを実行するための表示制御プログラム。
【発明の詳細な説明】
【技術分野】
【０００１】
本発明は、表示装置、表示制御方法、及び表示制御プログラムに関する。
【背景技術】
【０００２】
近年、携帯端末としての表示装置において、表示部の小型化、省電力化、表示性能の向上が進むにつれて、１台の表示装置に複数（例えば２つ）の表示部を設けて多数のアプリケーションを同時に楽しめるようになってきている。２つの表示部を設けた従来技術として、例えば、特許文献１が知られている。
【０００３】
特許文献１の情報処理装置は、ヒンジにより回動可能に結合された２つの本体部と、本体部に取り付けられた２つの表示部と、画面制御用のＣＰＵと、中央制御用ＣＰＵと、インターフェース部と、を備える。また、表示部はタッチパネル機能を備え、アプリケーション処理のための情報を表示して、２つの表示部を１つの画面としても、また、２つの独立した画面としても使用可能としている。この画面切り替え選択は、タッチパネル、または、本体部に設けられている切り替えスイッチにより行われる。
【先行技術文献】
【特許文献】
【０００４】
【特許文献１】特開平９−３０５２５９号公報
【発明の概要】
【発明が解決しようとする課題】
【０００５】
特許文献１では、切り替えスイッチにより、２つの表示部において、１つの画面または２つの独立した画面への切り替えを行っている。しかし、切り替えスイッチが機械的なスイッチである場合には、スイッチを手動で切り替える煩わしさがある。また、切り替えスイッチがソフトスイッチである場合には、装置の使用中には多くのアイコン等が表示部に表示されるため、タッチパネル上でスイッチを探す煩わしさがあり、素早く切り替え難い。
【０００６】
本発明は、上記事情に鑑みてなされたものであり、簡単に画面表示の切り替えが可能な表示装置、表示制御方法、及び表示制御プログラムを提供する。
【課題を解決するための手段】
【０００７】
本発明の表示装置は、複数の表示部と、各表示部の位置関係が、所定時間内に、第１の位置関係から第２の位置関係に変化し、前記第２の位置関係から前記第１の位置関係に変化した場合、各表示部による表示形式を他の表示形式に切り替える表示制御部と、を備える。
【０００８】
本発明の表示制御方法は、複数の表示部の位置関係が、所定時間内に、第１の位置関係から第２の位置関係に変化し、前記第２の位置関係から第１の位置関係に変化した場合、各表示部による表示形式を他の表示形式に切り替えるステップを有する。
【０００９】
本発明の表示制御プログラムは、上記表示制御方法の各ステップをコンピュータに実行させるためのプログラムである。
【発明の効果】
【００１０】
本発明によれば、簡単に画面表示の切り替えが可能である。
【図面の簡単な説明】
【００１１】
【図１】実施形態に係る表示装置の構成例を示すブロック図
【図２】実施形態に係る表示装置の構成例を示す斜視図であり、（ａ）開状態の一例を示す図、（ｂ）中間状態の一例を示す図、（ｃ）閉状態の一例を示す図
【図３】（ａ）〜（ｃ）実施形態に係る表示装置における各表示部の相対的位置関係を説明するための模式図
【図４】実施形態に係る表示装置の動作例を示すフローチャート
【図５】（ａ），（ｂ）実施形態に係る全画面表示に切り替えるときに優先的に表示されるアプリケーションの一例を示す模式図
【発明を実施するための形態】
【００１２】
以下、本発明の実施形態について、図面を参照して説明する。
【００１３】
表示装置１０は、例えば、携帯端末（例えば携帯電話、電子ブック、ＰＤＡ、スマートフォン、又はタブレット端末）、又は携帯型のゲーム機である。
【００１４】
図１は実施形態に係る表示装置１０の構成例を示すブロック図である。
【００１５】
表示装置１０は、制御部２０、表示部３０、センサ４０、及び加速度センサ５０を備える。制御部２０は、形状判定部２５、計時部２６、表示制御部２７、及びアプリケーション管理部２８と、を備える。表示部３０は、第１の表示部３１及び第２の表示部３２を備える。
【００１６】
制御部２０は、ＲＯＭ等に格納されている制御プログラムをＣＰＵ等が実行することにより、表示装置１０全体を制御する。制御は、例えば演算、検索、又は抽出を含む。
【００１７】
表示部３０は、例えば液晶パネル、有機ＥＬパネル、又はプラズマのディスプレイを有する。表示部３０は、指又はスタイラスペンを接触又は近接させて各種操作するためのＵＩ（ユーザーインターフェース）としてのタッチパネルとして動作する。
【００１８】
タッチパネルは、例えば、透明なシートを有し、マトリクス状に配列された２つの透明電極により、指等の接触（近接含む）を電極間の静電容量変化により検出する。タッチパネルは、接触位置に応じた信号を制御部２０に出力する。タッチパネルの接触検出方式、静電容量式に限らず、例えば光学式又は抵抗膜式でもよい。
【００１９】
表示部３０は、第１の表示部３１、第２の表示部３２を有するが、３つ以上の表示部を有してもよい。
【００２０】
センサ４０は、例えば、複数の表示部３１，３２の相対的位置関係を検出する。センサ４０は、例えば、方位センサ、角度センサ、加速度センサ５０、又はホール素子を備える開閉センサである。相対的位置関係とは、第１の表示部３１と第２の表示部３２とが空間座標においてどのような位置関係にあるかを示す。
【００２１】
相対的位置関係には、例えば、開状態、閉状態、中間状態がある。開状態とは、第１の表示部３１と第２の表示部３２とが開いている状態であり、閉状態とは、第１の表示部３１と第２の表示部３２とが閉じている状態である。中間状態とは、開状態と閉状態の間の状態である。
【００２２】
形状判定部２５は、センサ４０により検出された２つの表示部３１，３２の相対的位置関係の変化に基づく制御信号を受け、相対的位置関係の変化を判定する。
【００２３】
計時部２６は、例えばＲＴＣ（Ｒｅａｌ  Ｔｉｍｅ  Ｃｌｏｃｋ）からの信号を受けて時間を計測する。計時部２６は、例えば、ユーザの操作により２つの表示部３１，３２の相対的位置関係を変化させた時、形状判定部２５からの信号を受けて計時を開始する。計時部２６は、例えば、開状態から非開状態に変化した時点において、計時を開始する。なお、非開状態は、開状態ではないことを指し、中間状態及び閉状態を含む。
【００２４】
また、計時部２６は、相対的位置関係が変化している時間を計時し、元の位置に戻った（復帰した）場合に計測を終了する。計時部２６は、例えば、非開状態から開状態に復帰した時点において、計時を終了する。
【００２５】
また、相対的位置関係の変化継続時間に対する閾値が予め定められている。復帰が閾値以内（所定時間以内）であれば、表示制御部２７が表示部３０による表示形式を切り替える。
【００２６】
表示制御部２７は、アプリケーション管理部２８からアプリケーションの情報を受け、例えば、アプリケーションの画像（静止画像又は動画像）又は文字情報を表示部３０に表示させる。また、表示制御部２７は、２つの表示部３１，３２による表示形式を、１画面表示（全画面表示）（フル画面表示）又は独立した２画面表示（分割画面表示）（マルチ画面表示）を切り替えるよう制御する。
【００２７】
アプリケーション管理部２８は、表示部３０により表示される各種アプリケーションを例えば起動又は管理する。
【００２８】
図２（ａ）〜（ｃ）は、表示装置１０の構成例を示す斜視図である。
【００２９】
表示装置１０は、第１の筐体１１、第２の筐体１２、第１の表示部３１、及び第２の表示部３２を備える。第１の表示部３１は、第１の筐体１１上に固定される。第２の表示部３２は、第２の筐体１２上に固定される。
【００３０】
第１の筐体１１および第２の筐体１２は、ヒンジを介して連結される。従って、第１の筐体１１と第２の筐体１２とは、ヒンジを中心に回動可能である。
【００３１】
開状態は、例えば、図２（ａ）に示すように、第１の表示部３１および第２の表示部３２が互いに隣り合うとともに、第１の表示部３１の表面および第２の表示部３２の表面が略同一面に沿う状態である。
【００３２】
つまり、開状態では、第１の表示部３１及び第２の表示部３２が略１８０度の位置関係となる。なお、例えば両表示部を開いて固定される位置関係が略１８０度以外の場合には、１８０度以外の状態でも開状態となり得る。
【００３３】
閉状態は、例えば、図２（ｃ）に示すように、ヒンジの回動軸１８を中心として、第１の表示部３１の表面および第２の表示部３２の表面が、互いに反対側を向く状態である。
【００３４】
図２（ｂ）は第２の表示部３２がやや閉じる方向に移動した状態（中間状態）を示す。つまり、第１の表示部３１及び第２の表示部３２との相対的位置関係が、開状態の位置関係を基準とすると変化している。
【００３５】
表示制御部２７は、所定時間内に、開状態から非開状態に変化し、さらに非開状態から開状態に戻る（復帰する）と、第１の表示部３１，第２の表示部３２に表示されるアプリケーションの表示状態が切り替わる。
【００３６】
即ち、第１の表示部３１，第２の表示部３２に同一のアプリケーションが表示され、第１の表示部３１，第２の表示部３２が１画面として制御される１画面表示（全画面表示）の状態であると、表示制御部２７が２画面表示（分割画面表示）に切り替える。
【００３７】
一方、分割画面表示では、第１の表示部３１，第２の表示部３２に異なるアプリケーションが表示され、第１の表示部３１，第２の表示部３２に独立にアプリケーションが表示される。表示制御部２７は、分割画面表示の状態で、所定時間以内に、開状態から非開状態に変化し、さらに非開状態から開状態に戻ると、全画面表示に切り替える。尚、同一アプリケーションにおける異なるシーン、場面、機能などを分割画面表示してもよい。
【００３８】
図３（ａ）〜（ｃ）は、表示部３１，３２の相対的位置関係の一例を説明するための模式図である。図３（ａ）〜（ｃ）は開閉方式を示し、図３（ａ）〜（ｃ）における（１）〜（３）は、開閉状態を示す。
【００３９】
図３（ａ）の表示装置１０は、第１の表示部３１と第２の表示部３２とがヒンジ等により回動自在に取り付けられた折りたたみ式である。この表示装置１０は、図２と同じ構成の場合である。
【００４０】
つまり、図３（ａ）の表示装置１０は、開閉方式が回動方式である。（１）は、表示装置１０が所定の角度θに開いた開状態を示す。（２）は、中間状態であり、開状態よりも角度θがより大きくなる方向に、第２の表示部３２を奥に傾けていることを示す。即ち、閉状態となる方向に第２の表示部３２を回動させている。（３）は、第２の表示部３２をほぼ元の位置に復帰させた開状態を示している。即ち、（１）と（３）とは、同じ位置関係である。
【００４１】
図３（ａ）の（１）〜（３）の一連の動作（状態変化）を、短時間（所定時間内）で順に行うと、全画面表示から分割画面表示（またはその逆）に切り替えることができる。表示制御部２７は、（１）では第１の表示部３１に第１アプリケーションを表示させ、第２の表示部３２に第２アプリケーションを表示させている。（２）において、表示装置１０の第１の表示部３１と第２の表示部３２とを閉じる方向に移動させ、（３）において、元の位置に復帰させたとき、（３）では、表示部３１，３２共に、例えば第２アプリケーションが表示される。
【００４２】
このように、第１アプリケーションが１つの表示部に表示され、第２アプリケーションが他の表示部に表示された分割画面表示から、第２アプリケーションが全表示部に表示される全画面表示に切り替わる。
【００４３】
また、分割画面表示と記載しているが、各表示部の一部に所定のアプリケーションが表示されてもよいし、各表示部の全体に所定のアプリケーションが表示されてよい。また、全画面表示と記載しているが、全表示部の一部に所定のアプリケーションが表示されてもよいし、全表示部の全体に所定のアプリケーションが表示されてもよい。
【００４４】
尚、開状態から角度θを大きくする方向への回動と想定したが、小さくする方向への回動であっても良い。つまり、図３（ａ）の（２）において手前側へ回動することで表示装置１０を閉じるようにしてもよい。
【００４５】
図３（ｂ）の表示装置１０は、開閉方式がスライド式である。この表示装置１０は、図２と異なる構成の場合である。第１の表示部３１と第２の表示部の相対的位置関係の変化は、直線的（例えば縦方向または横方向）である。（１）は表示装置１０が開いた開状態を示す。（２）は、第２の表示部３２を内方向（第１の表示部３１側）にスライドさせた中間状態を示す。（３）は、第２の表示部３２を元の位置（図３（ｂ）（１）とほぼ同じ位置関係）に復帰させた開状態を示している。
【００４６】
図３（ｂ）の（１）〜（３）の一連の動作（状態変化）を、短時間（所定時間内）で順に行うと、全画面表示から分割画面表示（またはその逆）に切り替えることができる。図３（ｂ）の（１）〜（３）における第１の表示部３１と第２の表示部３２とにおける表示は、例えば図３（ａ）の（１）〜（３）と同じである。
【００４７】
図３（ｃ）の表示装置１０は、開閉方式が回転式である。この表示装置１０は、図２と異なる構成の場合である。（１）は、表示装置１０が所定の角度に開いた開状態を示す。（２）は、開状態から角度θがより小さくなる方向に、第２の表示部３２を第１の表示部側に回転させていることを示す。（３）は、第２の表示部３２を元の位置（図３（ｃ）（１）とほぼ同じ位置関係）に復帰させた開状態を示している。
【００４８】
図３（ｃ）の（１）〜（３）の一連の動作（状態変化）を、短時間で順に行うと、全画面表示から分割画面表示（またはその逆）に切り替えることができる。図３（ｃ）の（１）〜（３）における第１の表示部３１と第２の表示部３２とにおける表示は、例えば図３（ａ）の（１）〜（３）と同じである。
【００４９】
以上の３例を説明したが、第１の表示部３１と第２の表示部３２との相対的位置関係の変化は、表示装置１０の形状等により様々である。
【００５０】
次に、表示装置１０の動作例について説明する。
図４は、表示装置１０の動作例を示すフローチャート図である。
【００５１】
例えば、表示装置１０をユーザが操作し、第１の表示部３１又は第２の表示部３２の位置を動かすと、第１の表示部３１と第２の表示部３２との相対的位置関係が変化する。
【００５２】
センサ４０は、この相対的位置関係の変化（形状変化）の有無を検出し、その検出信号を形状判定部２５に送信する。形状判定部２５は、検出信号を解析し、相対的位置関係が変化したか否かを判定する（ステップＳ１）。
【００５３】
相対的位置関係に変化があったと判定された場合（ステップＳ１のＹｅｓ）、形状判定部２５は、開状態から非開状態に変化したか否かを判定する（ステップＳ２）。
【００５４】
開状態から非開状態に変化したと判定された場合（ステップＳ２のＹｅｓ）、計時部２６は、形状判定部２５からの変化信号（計時開始信号）を受け、計時を開始する（ステップＳ３）。
【００５５】
一方、相対的位置関係に変化がない場合（ステップＳ１のＮｏ）、制御部２０は、計測終了の条件を満たすか否かを判定する（ステップＳ４）。計測終了の条件は、例えば計測開始から所定時間が経過したことを含む。また、ここで計測が開始していなければ、計測終了とみなし（ステップＳ４のＮｏ）、ステップＳ１に戻る。計測終了の条件を満たす場合（ステップＳ４のＹｅｓ）、計時部２６は、計時を終了（停止）し（ステップＳ５）、ステップＳ１に戻る。計測終了の条件を満たさない場合（ステップＳ４のＮｏ）、ステップＳ１に戻る。
【００５６】
なお、所定時間は、例えば３秒又は５秒である。図３（ａ）〜（ｃ）に例示した一連の動作（開状態→非開状態→開状態）が所定時間内で行われている場合に、制御部２０は、ユーザが画面表示を切り替える動作をしていると理解できる。
【００５７】
一方、開状態から非開状態に変化していないと判定された場合（ステップＳ２のＮｏ）、形状判定部２５は、非開状態から開状態に変化したか否かを判定する（ステップＳ６）。非開状態から開状態への変化は、第１の表示部３１と第２の表示部３２との位置関係が元の位置に復帰したことを意味する。
【００５８】
非開状態から開状態に変化したと判定された場合（ステップＳ６のＹｅｓ）、計時部２６は、計時中であるか否かを判定する（ステップＳ７）。計時中である場合（ステップＳ７のＹｅｓ）、計時部２６は、形状判定部２５の変化信号（計時終了信号）を受け、計時を終了（停止）する（ステップＳ８）。つまり、計時部２６は、計時開始信号を取得してから計時終了信号を取得するまでの時間を計時する。
【００５９】
なお、非開状態から開状態に変化していないと判定された場合（ステップＳ４のＮｏ）は、又は、計時中でない場合（ステップＳ７のＮｏ）、ステップＳ１に戻る。
【００６０】
計時部２６による計時終了後、表示制御部２７は、第１の表示部３１及び第２の表示部３２により全画面表示中であるか否かを判定する（ステップＳ９）。
【００６１】
全画面表示中である場合（ステップＳ９のＹｅｓ）、表示制御部２７は、第１の表示部３１及び第２の表示部３２による表示形式を、分割画面表示に切り替える（ステップＳ１０）。一方、全画面表示中でない、つまり分割画面表示中であると判定された場合（ステップＳ９のＮｏ）、表示制御部２７は、第１の表示部３１及び第２の表示部３２による表示形式を、全画面表示に切り替える（ステップＳ１１）。
【００６２】
少なくとも２つの表示部３１，３２を備える表示装置１０において、表示部３１，３２の相対的位置関係を所定時間内に変化させると、容易に全画面表示か分割画面表示かの選択ができる。ユーザは、表示装置１０の使用時に、手で支える表示部３１，３２のどちらか一方または両方を、例えば表示部３１，３２を僅かに開閉させることで、画面表示を切り替えられる。従って、切り替え用の例えばアイコン、ボタン、又はスイッチを表示装置１０において探すことなく、表示装置１０を操作する一連の動きの中で、簡単に、すばやく画面表示を切り替えられる。
【００６３】
次に、全画面表示に切り替える場合に、優先的に表示されるアプリケーションの一例について説明する。図５（ａ），（ｂ）は、全画面表示において優先表示するアプリケーションを決定する例を示す。
【００６４】
図５（ａ）では、第１の表示部３１（図面左側）を優先としている。即ち、デバイスにより優先されるアプリケーションが設定されている。分割画面表示において、第１の表示部３１には、第１アプリケーションが表示されている。（１）の開状態から、（２）の非開状態に変化させ、（３）の開状態に変化（復帰）させると、第１の表示部３１が優先であるので、表示制御部２７は、第１アプリケーションを全画面表示させる。
【００６５】
また、図５（ａ）の（４）では、（１）の状態から表示装置１０を１８０度回転させ、右側に第１の表示部３１が配置されている。この場合、表示制御部２７は、第１の表示部３１を優先としているため、所定時間内に非開状態に変化させ、開状態に変化（復帰）させると、第１アプリケーションを全画面表示させる。尚、第１の表示部３１を優先として説明したが、第２の表示部３２を優先としても良い。いずれかの表示部（例えば第１の表示部３１または第２の表示部３２）を優先とする。いずれのデバイスを優先とするかを示す情報は、表示装置１０の図示しないメモリに保持される。
【００６６】
図５（ｂ）では、左側（図面左側）の表示部を優先としている。即ち、表示部の位置（例えば左側又は右側）により優先されるアプリケーションが設定されている。分割画面表示において、第１の表示部３１には、第１アプリケーションが表示され、第２の表示部３２には、第２アプリケーションが表示されている。（１）の開状態から、（２）の非開状態に変化させ、（３）の開状態に変化（復帰）させると、左側には第１の表示部３１が位置するので、第１の表示部３１のアプリケーションを優先として、第１アプリケーションを表示させる。
【００６７】
また、図５（ｂ）の（４）では、（１）の状態から表示装置１０を１８０度回転させ、左側に第２の表示部３２が配置されている。この場合、左側を優先するので、表示制御部２７は、所定時間内に非開状態に変化させ、開状態に変化（復帰）させると、第２の表示部３２に表示された第２アプリケーションを全画面表示させる。尚、左側を優先として説明したが、右側を優先としても良い。いずれか一方側を優先させる。いずれの位置の表示部に表示されたアプリケーションを優先とするかを示す情報は、表示装置１０の図示しないメモリに保持される。
【００６８】
また、ここでは２つの表示部を横方向に配置し、左右配置の優先度について述べたが、上下配置でも同様な優先関係が可能である。
【００６９】
図５（ｂ）に示された表示部の配置位置は、例えばセンサ４０の一例である加速度センサ５０により検出される。加速度センサ５０は、例えば３軸加速度センサであり、例えば表示部の左右方向における位置又は上下方向における位置を検出する。表示部の位置を検出できれば、加速度センサ５０以外のセンサを用いてもよい。これにより、直感的に表示画面の切り替えを行うことが可能となる。
【００７０】
尚、本発明は、上述した実施形態に限定されるものではなく、適宜、変形、改良、等が可能である。その他、上述した実施形態における各構成要素の材質、形状、寸法、数値、形態、数、配置箇所、等は、本発明を達成できるものであれば任意であり、限定されない。
【００７１】
なお、上記実施形態では、アプリケーションの表示に関して全画面表示と分割画面表示を切り替えることを示したが、アプリケーション以外の情報について全画面表示と分割画面表示とを切り替えてもよい。
【００７２】
また、上記実施形態では、表示制御部２７が全画面表示又は分割画面表示に切り替えることを主に説明したが、他の表示形式に切り替えてもよい。
【００７３】
また、上記実施形態では、開状態から非開状態へ変化し、非開状態から開状態へ復帰することを主に説明したが、複数の表示部３０の位置関係の変化の仕方はこれに限らない。例えば、所定の状態から複数の表示部３０の位置関係が変化し、さらに上記所定の状態に復帰することを想定してもよい。例えば、表示制御部２７は、複数の表示部３０が第１の位置関係からユーザの開閉操作により第２の位置関係に変化したことが検出され、さらにユーザの開閉操作に第１の位置関係に復帰したことが検出された場合に、表示形式を切り替えてもよい。従って、例えば中間状態にある所定の位置関係を基準の位置関係にしてもよい。第１の位置関係及び第２の位置関係は、例えば表示装置１０の開閉方向における位置関係の１つである。
【００７４】
このように、表示装置１０は、複数の表示部と、表示制御部２７と、を備える。表示制御部２７は、各表示部の位置関係が、所定時間内に、第１の位置関係から第２の位置関係に変化し、第２の位置関係から第１の位置関係に変化した場合、各表示部による表示形式を他の表示形式に切り替える。表示制御部２７は、各表示部の位置関係が、所定時間内に、開状態から非開状態に変化し、非開状態から開状態に変化した場合、各表示部による表示形式を他の表示形式に切り替えてもよい。例えば、表示制御部２７は、全画面表示又は分割画面表示に切り替える。複数の表示部は、例えば表示部３１，３２である。
【００７５】
また、表示制御部２７は、表示形式が全画面表示である場合には、位置関係の変化に応じて、表示形式を分割画面表示に切り替える。また、表示制御部２７は、表示形式が分割画面表示である場合には、位置関係の変化に応じて、表示形式を全画面表示に切り替える。
【００７６】
表示装置１０によれば、各表示部の位置関係を所定時間内で変化させることにより、容易に表示形式を変更できる。例えば、位置関係として、開状態と非開状態との間で変化させることができる。また、表示形式として全画面表示か分割画面表示かの選択ができる。ユーザは、表示装置１０の操作のうち、よく利用される開閉操作の一部を行うことで、画面表示の切り替えを簡単にできる。従って、切り替え用の例えばアイコン、ボタン、又はスイッチを探す手間から解放される。また、所定時間内において位置関係を変化させるので、時間を意識して位置関係を変化させることで、ユーザの意図を確実に反映して画面切り替えを行うことができる。
【００７７】
また、表示制御部２７は、全画面表示では、各表示部を連結した１つの表示部として、１つのアプリケーションの画面を表示させ、分割画面表示では、各表示部に各アプリケーションの画面を表示させてもよい。
【００７８】
これにより、ユーザ所望のアプリケーションの表示状態を、ユーザの簡単な操作により実現できる。
【００７９】
また、表示制御部２７は、表示形式を全画面表示に切り替える場合、各表示部により表示された各アプリケーションの画面のうち、所定の表示部に表示されたアプリケーションの画面を全画面表示させてもよい。
【００８０】
これにより、例えばユーザの好みに合う表示デバイスに表示されるアプリケーションを全画面表示できる。また、全画面表示されるアプリケーションが表示される表示デバイスが固定化されるので、ユーザが全画面表示されるアプリケーションの画面を認識しやすい。
【００８１】
また、表示装置１０は、表示部の位置を検出する位置検出部を備えてもよい。表示制御部２７は、表示形式を全画面表示に切り替える場合、位置検出部により検出された位置に基づいて、所定の位置にある表示部に表示されたアプリケーションの画面を全画面表示させてもよい。位置検出部は、例えばセンサ４０であり、例えば加速度センサ５０である。
【００８２】
これにより、全画面表示されるアプリケーションが分割画面表示のときに表示される位置（例えば左側）が固定化されるので、ユーザは直感的に認識しやすい。
【産業上の利用可能性】
【００８３】
本発明は、簡単に画面表示の切り替えが可能な表示装置、表示制御方法、及び表示制御プログラム等に有用である。
【符号の説明】
【００８４】
１０  表示装置
１１  筐体（第１の筐体）
１２  筐体（第２の筐体）
２０  制御部
３０  表示部
３１  表示部（第１の表示部）
３２  表示部（第２の表示部）
４０  センサ
５０  加速度センサ
２５  形状判定部
２６  計時部
２７  表示制御部
２８  アプリケーション管理部
【図１】
2013246724.tif 000003
【図２】
2013246724.tif 000004
【図３】
2013246724.tif 000005
【図４】
2013246724.tif 000006
【図５】
2013246724.tif 000007